(57)【特許請求の範囲】
【請求項１】
無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、
前記無線通信用携帯端末装置は、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを有し、
前記第２の通信手段は、自身がハンドオーバして呼接続しようとするハンドオーバ先基地局の基地局識別記号と前記第１の通信手段が呼接続している基地局の基地局識別記号とが異なる場合に、前記ハンドオーバ先基地局にハンドオーバする接続手段を備えて成ることを特徴とする移動体無線通信システム。
【請求項２】
無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、
前記無線通信用携帯端末装置は、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、
前記第１の通信手段は、自身が呼接続している基地局の基地局識別記号を前記第２の通信手段に通知する識別記号通知手段を有し、
前記第２の通信手段は、前記第１の通信手段から通知を受けた基地局識別記号と、自身がハンドオーバして呼接続しようとするハンドオーバ先基地局の基地局識別記号とが相違するか否かを判断する基地局識別記号判断手段と、前記基地局識別記号判断手段によって、前記第１の通信手段から通知を受けた基地局識別記号と前記ハンドオーバ先基地局の基地局識別記号とが相違すると判断した場合に、前記ハンドオーバ先基地局にハンドオーバする接続手段とを有することを特徴とする移動体無線通信システム。
【請求項３】
無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、
前記無線通信用携帯端末装置は、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、
前記第２の通信手段は、ハンドオーバして呼接続しようとするハンドオーバ先基地局の基地局識別記号を前記第１の通信手段に通知する識別記号通知手段と、前記第１の通信手段から接続許可を受けた後、前記ハンドオーバ先基地局にハンドオーバする接続手段とを有し、
前記第１の通信手段は、自身が呼接続している基地局の基地局識別記号と前記第２の通信手段から通知を受けた基地局識別記号とが相違しているとき、前記第２の通信手段に対して呼接続許可を行う接続許可手段を有することを特徴とする移動体無線通信システム。
【請求項４】
前記第２の通信手段は、前記第１の通信手段がハンドオーバ処理中の場合にハンドオーバ処理を保留するハンドオーバ処理保留手段を備えて成ることを特徴とする請求項１乃至３のいずれか一に記載の移動体無線通信システム。
【請求項５】
基地局との間でデータ通信を行うと共に、移動した際にもデータ通信を可能にするためにハンドオーバ処理を行うようにした無線通信用携帯端末装置において、
データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、
前記第２の通信手段は、自身がハンドオーバして呼接続しようとするハンドオーバ先基地局の基地局識別記号と前記第１の通信手段が呼接続している基地局の基地局識別記号とが異なる場合に、前記ハンドオーバ先基地局にハンドオーバする接続手段を備えて成ることを特徴とする無線通信用携帯端末装置。
【請求項６】
基地局との間でデータ通信を行うと共に、移動した際にもデータ通信を可能にするためにハンドオーバ処理を行うようにした無線通信用携帯端末装置において、
データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、
前記第１の通信手段は、自身が呼接続している基地局の基地局識別記号を前記第２の通信手段に通知する識別記号通知手段を有し、
前記第２の通信手段は、前記第１の通信手段から通知を受けた基地局識別記号と、自身がハンドオーバして呼接続しようとするハンドオーバ先基地局の基地局識別記号とが相違するか否かを判断する基地局識別記号判断手段と、前記基地局識別記号判断手段によって、前記第１の通信手段から通知を受けた基地局識別記号と前記ハンドオーバ先基地局の基地局識別記号とが相違すると判断した場合に、前記ハンドオーバ先基地局にハンドオーバする接続手段とを有することを特徴とする無線通信用携帯端末装置。
【請求項７】
基地局との間でデータ通信を行うと共に、移動した際にもデータ通信を可能にするためにハンドオーバ処理を行うようにした無線通信用携帯端末装置において、
データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、
前記第２の通信手段は、ハンドオーバして呼接続しようとするハンドオーバ先基地局の基地局識別記号を前記第１の通信手段に通知する識別記号通知手段と、前記第１の通信手段から接続許可を受けた後、前記ハンドオーバ先基地局にハンドオーバする接続手段とを有し、
前記第１の通信手段は、自身が呼接続している基地局の基地局識別記号と前記第２の通信手段から通知を受けた基地局識別記号とが相違しているとき、前記第２の通信手段に対して呼接続許可を行う接続許可手段を有することを特徴とする無線通信用携帯端末装置。
【請求項８】
前記第２の通信手段は、前記第１の通信手段がハンドオーバ処理中の場合にハンドオーバ処理を保留するハンドオーバ処理保留手段を備えて成ることを特徴とする請求項５乃至７のいずれか一に記載の無線通信用携帯端末装置。
【発明の詳細な説明】
【０００１】
【発明の属する技術分野】
本発明は、ＰＨＳ（Personal Handyphone System）や携帯電話等の無線通信用携帯端末装置と基地局間で無線通信を行うことにより、該無線通信用携帯端末装置と所望の通信相手間で無線通信を行うようにした移動体無線通信システム、及び、前記移動体無線通信システムに使用する無線通信用携帯端末装置に関する。
【０００２】
【従来の技術】
従来から、ＰＨＳ子機や携帯電話等の無線通信用携帯端末装置と基地局間で無線通信を行うことにより、該無線通信用携帯端末装置と所望の通信相手間で無線通信を行うようにした移動体無線通信システムが利用されている。ＰＨＳや携帯電話システム等においては、無線通信用携帯端末装置が移動した場合でも通信を行えるように、基地局を切換えるハンドオーバという通信方法が実現されている。これは、無線通信用携帯端末装置である携帯型通信装置（以下、ＰＳと称す。）が、固定局である基地局（以下、ＣＳと称す。）を介してネットワークに接続されている状態（以下、この通信経路をパス１と称す。）で、ＰＳが移動等に伴う通信品質の劣化を検出し、通信不能になる前に、パス１を介して通信中の状態で、他のＣＳを介した通信経路（以下、パス２と称す。）を確立した後、目的とする通信の経路を瞬時にパス１からパス２に切換える方法である。これにより、目的とする通信の途絶はパスを切換える瞬間のみとなり、特に音声通話においては、通話者は瞬間的な途絶の影響を殆ど受けることがないという利点がある。
【０００３】
【発明が解決しようとする課題】
しかしながら、近年、ＰＨＳ等において、無線通信用携帯端末装置を用いて、音声通信のみならず、データ通信が行われるようになっている。特に、データ通信速度を高速化するため、無線通信用携帯端末装置に、マスタ通信装置及びスレーブ通信装置という２つの通信装置を設けると共に、マルチプロトコルリンク（ＭＰ）を使用して、各々異なる基地局と接続することにより高速データ通信を実現することが提案されている。
【０００４】
例えば、この方法を用いて高速データ伝送を行う場合には、先ず、マスタ通信装置から発呼動作を開始、前記マスタ通信装置がＣＳと呼接続した後に、ＰＩＡＦＳリンク確立マルチプロトコルリンク（ＭＰ）確立動作を実施する。マスタ通信装置にてＭＰ確立した時点で、スレーブ通信装置の発呼を実施する。前記スレーブ通信装置にて呼接続後にＰＩＡＦＳリンク確立、ＭＰ確立動作を実施する。
【０００５】
現在のＰＨＳにおいては、１基地局当たり、データ通信に使用可能なスロットは３スロット（１スロット当たりの通信速度は３２ｋｂｐｓ）であり、このうち同時に使用可能なスロットは２スロットに制限されているため、１基地局当たりの通信速度の上限が６４ｋｂｐｓに制限される。したがって、１２８ｋｂｐｓの通信速度を実現するためには、前記マスタ通信装置と前記スレーブ通信装置が異なるＣＳへ発呼する必要がある。
【０００６】
この動作を実現するためには、前記マスタ通信装置が、前記マスタ通信装置及び前記スレーブ通信装置がそれぞれ接続する基地局の基地局識別記号（ＣＳ−ＩＤ）を管理し、接続先のＣＳを指定するようにしている。前記スレーブ通信装置は、前記マスタ通信装置から通知されたコマンドに設定された基地局識別記号を持つＣＳ以外へ発呼する。前記スレーブ通信装置は、何らかの理由によってＣＳと接続できなかった場合、発呼動作を停止させる。前記マスタ通信装置からのコマンドに設定された基地局識別記号を持つＣＳ以外のＣＳへハンドオーバする。このとき前記スレーブ通信装置は、前記マスタ通信装置から前記スレーブ通信装置に通知された基地局識別記号と、前記スレーブ通信装置が接続されている基地局識別記号が異なる場合にはハンドオーバを行わないようにしている。
【０００７】
しかしながら、１２８ｋｂｐｓでの通信を行っている場合には、一の基地局で使用可能なスロット数が制限されているため、前記マスタ通信装置と前記スレーブ通信装置は必然的に異なる基地局に接続されている。
【０００８】
したがって、スレーブ通信装置がハンドオーバしようとしても、マスタ通信装置から通知されたマスタ通信装置接続中の基地局の基地局識別記号と、スレーブ通信装置がハンドオーバして呼接続しようとするハンドオーバ先基地局の基地局識別記号とが必ず異なるため、ハンドオーバできないという問題があった。また、ハンドオーバを行わない状態では１２８ｋｂｐｓの高速データ通信は可能ではあるが、スレーブ通信装置はハンドオーバすることができないため、移動等に伴って通信の品質が劣化するという問題があった。
【０００９】
本発明は、上記問題点に鑑み成されたもので、無線通信用携帯端末装置が有する複数の通信装置を各々異なる基地局にハンドオーバ可能にして、高速で高品質なデータ通信を可能にすることを課題としている。
【００１０】
【課題を解決するための手段】
本発明によれば、無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、前記無線通信用携帯端末装置は、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを有し、前記第２の通信手段は、自身がハンドオーバして呼接続しようとするハンドオーバ先基地局の基地局識別記号と前記第１の通信手段が呼接続している基地局の基地局識別記号とが異なる場合に、前記ハンドオーバ先基地局にハンドオーバする接続手段を備えて成ることを特徴とする移動体無線通信システムが提供される。第２の通信手段の接続手段は、自身がハンドオーバして呼接続しようとするハンドオーバ先基地局の基地局識別記号と第１の通信手段が呼接続している基地局の基地局識別記号とが異なる場合に、前記ハンドオーバ先基地局にハンドオーバする。
【００１１】
また、本発明によれば、無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、前記無線通信用携帯端末装置は、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、前記第１の通信手段は、自身が呼接続している基地局の基地局識別記号を前記第２の通信手段に通知する識別記号通知手段を有し、前記第２の通信手段は、前記第１の通信手段から通知を受けた基地局識別記号と、自身がハンドオーバして呼接続しようとするハンドオーバ先基地局の基地局識別記号とが相違するか否かを判断する基地局識別記号判断手段と、前記基地局識別記号判断手段によって、前記第１の通信手段から通知を受けた基地局識別記号と前記ハンドオーバ先基地局の基地局識別記号とが相違すると判断した場合に、前記ハンドオーバ先基地局にハンドオーバする接続手段とを有することを特徴とする移動体無線通信システムが提供される。第１の通信手段の識別記号通知手段は、自身が呼接続している基地局の基地局識別記号を第２の通信手段に通知する。前記第２の通信手段の基地局識別記号判断手段が、前記第１の通信手段から通知を受けた基地局識別記号と前記ハンドオーバ先基地局の基地局識別記号とが相違すると判断した場合に、接続手段は前記ハンドオーバ先基地局にハンドオーバする。
【００１２】
また、本発明によれば、無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、前記無線通信用携帯端末装置は、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、前記第２の通信手段は、ハンドオーバして呼接続しようとするハンドオーバ先基地局の基地局識別記号を前記第１の通信手段に通知する識別記号通知手段と、前記第１の通信手段から接続許可を受けた後、前記ハンドオーバ先基地局にハンドオーバする接続手段とを有し、前記第１の通信手段は、自身が呼接続している基地局の基地局識別記号と前記第２の通信手段から通知を受けた基地局識別記号とが相違しているとき、前記第２の通信手段に対して呼接続許可を行う接続許可手段を有することを特徴とする移動体無線通信システムが提供される。第２の通信手段の識別記号通知手段は、ハンドオーバして呼接続しようとするハンドオーバ先基地局の基地局識別記号を第１の通信手段に通知する。前記第１の通信手段の接続許可手段は、自身が呼接続している基地局の基地局識別記号と前記第２の通信手段から通知を受けた基地局識別記号とが相違しているとき、前記第２の通信手段に対して呼接続許可を行う。前記第２の通信手段の接続手段は、前記第１の通信手段から接続許可を受けた後、前記ハンドオーバ先基地局にハンドオーバする。
【００１３】
ここで、前記第２の通信手段は、前記第１の通信手段がハンドオーバ処理中の場合にハンドオーバ処理を保留するハンドオーバ処理保留手段を備えて成るように構成してもよい。
【００１４】
また、本発明によれば、基地局との間でデータ通信を行うと共に、移動した際にもデータ通信を可能にするためにハンドオーバ処理を行うようにした無線通信用携帯端末装置において、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、前記第２の通信手段は、自身がハンドオーバして呼接続しようとするハンドオーバ先基地局の基地局識別記号と前記第１の通信手段が呼接続している基地局の基地局識別記号とが異なる場合に、前記ハンドオーバ先基地局にハンドオーバする接続手段を備えて成ることを特徴とする無線通信用携帯端末装置が提供される。第２の通信手段の接続手段は、自身がハンドオーバして呼接続しようとするハンドオーバ先基地局の基地局識別記号と第１の通信手段が呼接続している基地局の基地局識別記号とが異なる場合に、前記ハンドオーバ先基地局にハンドオーバする。
【００１５】
また、本発明によれば、基地局との間でデータ通信を行うと共に、移動した際にもデータ通信を可能にするためにハンドオーバ処理を行うようにした無線通信用携帯端末装置において、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、前記第１の通信手段は、自身が呼接続している基地局の基地局識別記号を前記第２の通信手段に通知する識別記号通知手段を有し、前記第２の通信手段は、前記第１の通信手段から通知を受けた基地局識別記号と、自身がハンドオーバして呼接続しようとするハンドオーバ先基地局の基地局識別記号とが相違するか否かを判断する基地局識別記号判断手段と、前記基地局識別記号判断手段によって、前記第１の通信手段から通知を受けた基地局識別記号と前記ハンドオーバ先基地局の基地局識別記号とが相違すると判断した場合に、前記ハンドオーバ先基地局にハンドオーバする接続手段とを有することを特徴とする無線通信用携帯端末装置が提供される。第１の通信手段の識別記号通知手段は、自身が呼接続している基地局の基地局識別記号を第２の通信手段に通知する。前記第２の通信手段の基地局識別記号判断手段が、前記第１の通信手段から通知を受けた基地局識別記号と前記ハンドオーバ先基地局の基地局識別記号とが相違すると判断した場合に、接続手段は前記ハンドオーバ先基地局にハンドオーバする。
【００１６】
また、基地局との間でデータ通信を行うと共に、移動した際にもデータ通信を可能にするためにハンドオーバ処理を行うようにした無線通信用携帯端末装置において、データの送信処理及び受信処理を行うデータ処理手段と、基地局に無線で呼接続して前記データ処理手段と該基地局間のデータ通信を仲介する第１の通信手段と、基地局に無線で呼接続して前記データ処理手段と該基地局間のデータ通信を仲介する第２の通信手段と、前記第１の通信手段及び第２の通信手段と前記データ処理手段との間に接続され、前記第１の通信手段及び第２の通信手段を介して前記データ処理手段を前記各基地局にマルチリンクする制御手段とを備え、前記第２の通信手段は、ハンドオーバして呼接続しようとするハンドオーバ先基地局の基地局識別記号を前記第１の通信手段に通知する識別記号通知手段と、前記第１の通信手段から接続許可を受けた後、前記ハンドオーバ先基地局にハンドオーバする接続手段とを有し、前記第１の通信手段は、自身が呼接続している基地局の基地局識別記号と前記第２の通信手段から通知を受けた基地局識別記号とが相違しているとき、前記第２の通信手段に対して呼接続許可を行う接続許可手段を有することを特徴とする無線通信用携帯端末装置が提供される。第２の通信手段の識別記号通知手段は、ハンドオーバして呼接続しようとするハンドオーバ先基地局の基地局識別記号を第１の通信手段に通知する。前記第１の通信手段の接続許可手段は、自身が呼接続している基地局の基地局識別記号と前記第２の通信手段から通知を受けた基地局識別記号とが相違しているとき、前記第２の通信手段に対して呼接続許可を行う。前記第２の通信手段の接続手段は、前記第１の通信手段から接続許可を受けた後、前記ハンドオーバ先基地局にハンドオーバする。
【００１７】
ここで、前記第２の通信手段は、前記第１の通信手段がハンドオーバ処理中の場合にハンドオーバ処理を保留するハンドオーバ処理保留手段を備えて成るように構成してもよい。
【００１８】
【発明の実施の形態】
以下、添付図面を参照して、本発明の実施の形態に係る移動体無線通信システム及び無線通信用携帯端末装置について説明する。尚、本実施の形態に使用する移動体無線通信システムとして、ＰＨＳの例を示している。
【００１９】
図１は、本実施の形態に使用するＰＨＳのシステム構成図である。本来のシステムでは複数の無線通信用携帯端末装置が使用されるが、図２では、説明を簡略化するために、一の無線通信用携帯端末装置１０１を代表的に示している。尚、各無線通信用携帯端末装置は無線通信用携帯端末装置１０１と同一構成のものが使用され又、基地局１０６ａ〜１０６ｎは各々同一構成となっている。
【００２０】
図１において、無線通信用携帯端末装置１０１は、データの送受信処理を行うデータ処理手段としての携帯型コンピュータ（ＰＣ）１０５、基地局１０６ａ〜１０６ｎに呼接続して携帯型コンピュータ１０５と基地局１０６ａ〜１０６ｎ間のデータ通信を仲介する第１の通信手段としてのマスタ通信装置１０２、基地局１０６ａ〜１０６ｎに呼接続して携帯型コンピュータ１０５と基地局１０６ａ〜１０６ｎ間のデータ通信を仲介する第２の通信手段としてのスレーブ通信装置１０３、マスタ通信装置１０２及びスレーブ通信装置１０３と携帯型コンピュータ１０５との間に接続され、マスタ通信装置１０２及びスレーブ通信装置１０３を介して携帯型コンピュータ１０５を、マスタ通信装置１０２及びスレーブ通信装置１０３が呼接続している複数の基地局にマルチリンクする制御手段としてのマルチリンク処理装置（ＭＰ）１０４を備えている。
【００２１】
マスタ通信装置１０２は、アンテナを介して無線により音声やデータを送受信する第１の無線部（図示せず）と各種制御を行う第１の制御手段としての制御部（図示せず）を備えている。また、前記制御部は、データ等を記憶するＲＡＭ（random Access Memory）やプログラムを記憶したＲＯＭ（Read Only Memory）（いずれも図示せず）から成る第１の記憶手段及び前記ＲＯＭに記憶されたプログラムによって動作する第１の中央処理装置（ＣＰＵ）（図示せず）を有し、ハンドオーバ処理や選択した通信相手への発呼制御等の各種制御を行う。
【００２２】
スレーブ通信装置１０３も同様に、アンテナを介して無線により音声やデータを送受信する第２の無線部（図示せず）と各種制御を行う第２の制御手段としての制御部（図示せず）を備えている。また、前記制御部は、データ等を記憶するＲＡＭ（random Access Memory）やプログラムを記憶したＲＯＭ（Read Only Memory）（いずれも図示せず）から成る第２の記憶手段及び前記ＲＯＭに記憶されたプログラムによって動作する第２の中央処理装置（ＣＰＵ）（図示せず）を有し、ハンドオーバ処理や選択した通信相手への発呼制御等の各種制御を行う。
【００２３】
一方、複数の基地局１０６ａ〜１０６ｎは、アンテナを介して無線により音声やデータを送受信する第３の無線部（図示せず）と各種の通信制御を行う第３の制御手段としての制御部（図示せず）とを備えている。前記制御部は、データを記憶するＲＡＭ（random Access Memory）やプログラムを記憶したＲＯＭ（Read Only Memory）（いずれも図示せず）から成る基地局用の第３の記憶手段及び前記ＲＯＭに記憶されたプログラムによって動作する第３の中央処理装置（ＣＰＵ）（図示せず）を有し、ハンドオーバ処理等の各種制御を行う。各基地局１０６ａ〜１０６ｎは、各基地局１０６ａ〜１０６ｎを介して受信したマスタ通信装置１０２及びスレーブ通信装置１０３からの６４ｋｂｐｓデータを１２８ｋｂｐｓデータに合成して通信網１０８に送出する機能等を有するＰＨＳ制御装置１０７に接続されている。ＰＨＳ制御装置１０７は通信網１０８に接続されている。通信網１０８としては、アナログ電話網、ＩＳＤＮ（サービス総合デジタル網）、無線通信回線網あるいはその他の通信回線網が使用される。
【００２４】
マスタ通信装置１０２及びスレーブ通信装置１０３と基地局１０６ａ〜１０６ｎ間は、例えば、ＴＤＭＡ（Time Division Multiple Access）を用いたデジタル通信によって音声やデータの通信が行われ、通信網１０８に接続された相手先と通話やデータの通信を行うことができるように構成されている。
【００２５】
図２及び図３は、本発明の第１の実施の形態に係る処理を示す図で、ハンドオーバ処理のフローチャートである。図２はマスタ通信装置１０２の処理を示しており、マスタ通信装置１０２における前記制御部の前記ＲＯＭに記憶されたプログラムを前記ＣＰＵで処理することにより実行される。また、図３はスレーブ通信装置１０３の処理を示しており、スレーブ通信装置１０３における前記制御部の前記ＲＯＭに記憶されたプログラムを前記ＣＰＵで処理することにより実行される。
【００２６】
以下、図１〜図３を用いて、本実施の形態について詳細に説明する。初期状態として、マルチリンク処理装置１０４のマルチリンクプロトコル（ＭＰ）処理機能によって、携帯型コンピュータ１０５は、マスタ通信装置１０２及びスレーブ通信装置１０３を介して基地局１０６ａ、１０６ｃに接続され、データを送信している状態にあるものとする。即ち、携帯型コンピュータ１０５から１２８ｋｐｂｓの通信速度で送出されているデータは、マルチリンク処理装置１０４で、２つの６４ｋｂｐｓのデータに分けられて、各々、マスタ通信装置１０２、スレーブ通信装置１０３に入力されている。マスタ通信装置１０２は基地局１０６ａに呼接続されており、２スロット使用することにより６４ｋｂｐｓの通信速度で、マルチリンク処理装置１０４から入力されるデータを基地局１０６ａに送信している状態にある。また、スレーブ通信装置１０３は基地局１０６ｃに呼接続されており、２スロット使用することにより６４ｋｂｐｓの通信速度で、マルチリンク処理装置１０４から入力される６４ｋｂｐｓのデータを基地局１０６ｃに送信している状態にある。これにより、携帯型コンピュータ１０５からマルチリンク処理装置１０４に入力される１２８ｋｂｐｓのデータは、各６４ｋｂｐｓの通信速度で基地局１０６ａ、１０６ｃに送信されている状態にあるものとする。また、各基地局１０６ａ、１０６ｃで受信したデータは、ＰＨＳ用携帯端末装置制御装置１０７により、通信速度１２８ｋｂｐｓのデータに合成されて、通信網１０８に送信されているものとする。
【００２７】
この状態からスレーブ通信装置１０３が基地局１０６ｄにハンドオーバを行う場合、図３に示すように、スレーブ通信装置１０３は、マスタ通信装置１０２に対して、ハンドオーバの許可を求めるためのハンドオーバ開始通知を送信する（ステップＳ３０１）。マスタ通信装置１０２は、前記ハンドオーバ開始通知を受信すると（図２のステップＳ２０１）、自身がハンドオーバ処理中か否かを判断し（ステップＳ２０２）、ハンドオーバ処理中でなければ、マスタ通信装置１０２が現在接続している基地局を表す固有の基地局識別記号（ＣＳ−ＩＤ）（本例では基地局１０６ａの基地局識別記号）を送信して処理を終了する（ステップＳ２０３）。ここで、ステップＳ２０３は識別記号通知手段を構成している。ステップＳ２０２において、マスタ通信装置１０２がハンドオーバ処理中の場合には、マスタ通信装置１０２はハンドオーバ処理を完了した後、ハンドオーバによって新たに呼接続した基地局（例えば基地局１０６ｂ）の基地局識別記号を、スレーブ通信装置１０３に送信して（ステップＳ２０３）、処理を終了する。
【００２８】
一方、スレーブ通信装置１０３では、マスタ通信装置１０２から基地局識別記号を受信したか否かを判断し（ステップＳ３０２）、マスタ通信装置１０２から基地局識別記号を受信していないと判断した場合には、マスタ通信装置１０２から基地局識別記号を受信するまでステップ３０２を繰り返す。ここで、ステップＳ３０２は、マスタ通信装置１０２がハンドオーバ処理を完了するまで、ハンドオーバ処理を保留するハンドオーバ処理保留手段を構成している。
【００２９】
ステップＳ３０２において、マスタ通信装置１０２から前記基地局識別記号を受信したと判断した場合には、マスタ通信装置１０２から受信した基地局識別記号と自身がハンドオーバしようとするハンドオーバ先基地局１０６ｄの基地局識別記号とが同一か否かを判断する（ステップＳ３０３）。ここで、ステップＳ３０３は基地局識別記号判断手段を構成している。ステップ３０３において、マスタ通信装置１０２から受信した基地局識別記号とスレーブ通信装置１０３がハンドオーバしようとするハンドオーバ先基地局１０６ｄの基地局識別記号とが同一と判断した場合には、スレーブ通信装置１０３のハンドオーバ先基地局は、マスタ通信装置１０２が現在呼接続している基地局と同一ということであるため、ハンドオーバ処理を行なわずに、ハンドオーバ先基地局を他の基地局に変更して（ステップＳ３０５）、ステップＳ３０３に戻る。
【００３０】
一方、ステップＳ３０３において、マスタ通信装置１０２から受信した基地局識別記号とスレーブ通信装置１０３がハンドオーバしようとするハンドオーバ先基地局１０６ｄの基地局識別記号とが相違すると判断した場合には、スレーブ通信装置１０３のハンドオーバ先基地局１０６ｄは、マスタ通信装置１０２が現在呼接続している基地局１０６ａとは相違するため、ハンドオーバ処理を行って該基地局１０６ｄにハンドオーバし（ステップＳ３０４）、ハンドオーバ処理を終了する。ここで、ステップＳ３０４は接続手段を構成している。
【００３１】
これにより、スレーブ通信装置１０３は、マスタ通信装置１０２が呼接続している基地局１０６ａとは異なる基地局１０６ｄにハンドオーバを行うことが可能になり、以後、マスタ通信装置１０２が基地局１０６ａと通信を行い又、スレーブ通信装置１０３が基地局１０６ｄと通信を行うことにより、１２８ｋｂｐｓでの高速データ通信が行われる。
【００３２】
次に、本発明の第２の実施の形態について説明する。尚、本第２の実施の形態においても、システム構成図は図１と同一であるため、システム構成については図１を用いて説明する。
【００３３】
図４及び図５は、本発明の第２の実施の形態に係る処理を示す図で、ハンドオーバ処理のフローチャートである。図４はマスタ通信装置１０２の処理を示しており、マスタ用通信装置１０２における前記制御部の前記ＲＯＭに記憶されたプログラムを前記ＣＰＵで処理することにより実行される。また、図５はスレーブ通信装置１０３の処理を示しており、スレーブ通信装置１０３における前記制御部の前記ＲＯＭに記憶されたプログラムを前記ＣＰＵで処理することにより実行される。
【００３４】
以下、図１、図４及び図５を用いて、第２の実施の形態について詳細に説明する。初期状態として、マルチリンク処理装置１０４のマルチリンクプロトコル（ＭＰ）処理機能によって、携帯型コンピュータ１０５は、マスタ通信装置１０２及びスレーブ通信装置１０３を介して基地局１０６ａ、１０６ｃに接続され、データを送信している状態にあるものとする。即ち、携帯型コンピュータ１０５から１２８ｋｐｂｓの通信速度で送出されているデータは、マルチリンク処理装置１０４で、２つの６４ｋｂｐｓのデータに分けられて、各々、マスタ通信装置１０２、スレーブ通信装置１０３に入力されている。マスタ通信装置１０２は基地局１０６ａに呼接続されており、２スロット使用することにより６４ｋｂｐｓの通信速度で、マルチリンク処理装置１０４から入力されるデータを基地局１０６ａに送信している状態にある。また、スレーブ通信装置１０３は基地局１０６ｃに呼接続されており、２スロット使用することにより６４ｋｂｐｓの通信速度で、マルチリンク処理装置１０４から入力される６４ｋｂｐｓのデータを基地局１０６ｃに送信している状態にある。これにより、携帯型コンピュータ１０５からマルチリンク処理装置１０４に入力される１２８ｋｂｐｓのデータは、各６４ｋｂｐｓの通信速度で基地局１０６ａ、１０６ｃに送信されている状態にあるものとする。また、各基地局１０６ａ、１０６ｃで受信したデータは、ＰＨＳ用携帯端末装置制御装置１０７により、通信速度１２８ｋｂｐｓのデータに合成されて、通信網１０８に送信されているものとする。
【００３５】
この状態からスレーブ通信装置１０３がハンドオーバを行う場合、図５に示すように、スレーブ通信装置１０３は、マスタ通信装置１０２に対して、スレーブ通信装置１０３がハンドオーバしようとするハンドオーバ先基地局１０６ｄの基地局識別記号を送信する（ステップＳ５０１）。ここで、ステップＳ５０１は識別記号通知手段を構成している。マスタ通信装置１０２は、前記基地局識別記号を受信すると（図４のステップＳ４０１）、マスタ通信装置１０２自身がハンドオーバ処理中か否かを判断し（ステップＳ４０２）、ハンドオーバ処理中でなければ、マスタ通信装置１０２が現在接続している基地局を表す固有の基地局識別記号（ＣＳ−ＩＤ）（本例では基地局１０６ａの基地局識別記号）とスレーブ通信装置１０３から受信した基地局識別記号とが同一か否かを判断する（ステップＳ４０３）。両基地局識別記号が相違すると判断した場合には、スレーブ通信装置１０３に対してハンドオーバを許可する旨のハンドオーバ許可通知を送信し（ステップＳ４０４）、その一方、両基地局識別記号が同一であると判断した場合には、スレーブ通信装置１０３に対してハンドオーバを禁止する旨のハンドオーバ禁止通知を送信し（ステップＳ４０５）、処理を終了する。尚、ステップＳ４０２において、マスタ通信装置１０２がハンドオーバ処理中の場合には、ハンドオーバを完了した後、ステップＳ４０３において、ハンドオーバにより新たに呼接続した基地局の基地局識別記号とスレーブ通信装置１０３から受信した基地局識別記号とが同一か否かを判断し、判断結果に応じて、ステップＳ４０４又はステップＳ４０５に移行する。ステップＳ４０３、Ｓ４０４は接続許可手段を構成している。
【００３６】
一方、スレーブ通信装置１０３では、マスタ通信装置１０２からハンドオーバ許可通知を受信したか否かを判断し（ステップＳ５０２）、マスタ通信装置１０２からハンドオーバ許可通知を受信したと判断した場合には、マスタ通信装置１０２に通知したハンドオーバ先基地局にハンドオーバして（ステップＳ５０３）、処理を終了する。ここで、ステップＳ５０３は接続手段を構成している。
【００３７】
これにより、スレーブ通信装置１０３は、マスタ通信装置１０２が呼接続している基地局１０６ａとは異なる基地局１０６ｄにハンドオーバを行うことが可能になり、以後、マスタ通信装置１０２が基地局１０６ａと通信を行い又、スレーブ通信装置１０３が基地局１０６ｄと通信を行うことにより、１２８ｋｂｐｓでの高速データ通信が行われる。
【００３８】
一方、ステップＳ５０２において、マスタ通信装置１０２からハンドオーバ許可通知を受信していないと判断した場合には、マスタ通信装置１０２からハンドオーバ禁止通知を受信したか否かを判断し（ステップＳ５０４）、ハンドオーバ禁止通知を受信したと判断した場合には、スレーブ通信装置１０３がハンドオーバしようとするハンドオーバ先基地局とマスタ通信装置１０２が現在呼接続している基地局とが同一であるため、ハンドオーバ先基地局を他の基地局に変更して（ステップＳ５０５）ステップＳ５０１に戻り、前記新たなハンドオーバ先基地局の基地局識別記号を通知して、前記処理を繰り返す。
【００３９】
ステップＳ５０４において、ハンドオーバ禁止通知を受信していないと判断した場合には、ステップＳ５０２に戻って、前記処理を繰り返す。ここで、ステップＳ５０２、Ｓ５０４がいずれも否定（Ｎ）の場合には、マスタ通信装置１０２がハンドオーバ処理中であるためハンドオーバ許可通知及びハンドオーバ禁止通知を受信できないことを意味しており、ステップＳ５０２、Ｓ５０４は、マスタ通信装置１０２がハンドオーバ処理を完了するまで、スレーブ通信装置１０３がハンドオーバ処理を保留するハンドオーバ処理保留手段を構成している。
【００４０】
以上述べたように、本発明の実施の形態に係る移動体無線通信システムは、無線通信用携帯端末装置と基地局間でデータ通信を行うと共に、前記無線通信用携帯端末装置が移動した際にもデータ通信を可能にするためにハンドオーバ処理を行うようにした移動体無線通信システムにおいて、無線通信用携帯端末装置１０１は、データの送信処理及び受信処理を行う携帯型コンピュータ１０５と、基地局１０６ａ〜１０６ｎに無線で呼接続して携帯型コンピュータ１０５と基地局１０６ａ〜１０６ｎ間のデータ通信を仲介するマスタ通信装置１０２と、基地局１０６ａ〜１０６ｎに無線で呼接続して携帯型コンピュータ１０５と基地局１０６ａ〜１０６ｎ間のデータ通信を仲介するスレーブ通信装置１０３と、マスタ通信装置１０２及びスレーブ通信装置１０３と携帯型コンピュータ１０５との間に接続され、マスタ通信装置１０２及びスレーブ通信装置を介して携帯型コンピュータ１０５を各基地局１０６ａ〜１０６ｎにマルチリンクするマルチリンク処理装置１０４とを有し、スレーブ通信装置１０３は、スレーブ通信装置１０３自身がハンドオーバして呼接続しようとするハンドオーバ先基地局の基地局識別記号とマスタ通信装置１０２が呼接続している基地局の基地局識別記号とが異なる場合に、前記ハンドオーバ先基地局にハンドオーバする接続手段（ステップＳ３０４、Ｓ５０３）を備えている。したがって、スレーブ通信装置１０３は、マスタ通信装置とは異なる基地局にハンドオーバすることができるため、高速で高品質なデータ通信を行うことが可能になる。また、マスタ通信装置１０２側でスレーブ通信装置１０３のハンドオーバを制御することが可能になる。
【００４１】
また、本発明の実施の形態に係る移動体無線通信システムにおいては、特に、無線通信用携帯端末装置１０１は、データの送信処理及び受信処理を行う携帯型コンピュータ１０５と、基地局１０６ａ〜１０６ｎに無線で呼接続して携帯型コンピュータ１０５と基地局１０６ａ〜１０６ｎ間のデータ通信を仲介するマスタ通信装置１０２と、基地局１０６ａ〜１０６ｎに無線で呼接続して携帯型コンピュータ１０５と基地局１０６ａ〜１０６ｎ間のデータ通信を仲介するスレーブ通信装置１０３と、マスタ通信装置１０２及びスレーブ通信装置１０３と携帯型コンピュータ１０５との間に接続され、マスタ通信装置１０２及びスレーブ通信装置を介して携帯型コンピュータ１０５を各基地局１０６ａ〜１０６ｎにマルチリンクするマルチリンク処理装置１０４とを有し、マスタ通信装置１０２は、マスタ通信装置１０２自身が呼接続している基地局の基地局識別記号をスレーブ通信装置１０３に通知する識別記号通知手段（ステップＳ２０３）を有し、スレーブ通信装置１０３は、マスタ通信装置１０２から通知を受けた基地局識別記号と、スレーブ通信装置１０３自身がハンドオーバして呼接続しようとするハンドオーバ先基地局の基地局識別記号とが相違するか否かを判断する基地局識別記号判断手段（ステップＳ３０３）と、前記基地局識別記号判断手段によって、マスタ通信装置１０２から通知を受けた基地局識別記号と前記ハンドオーバ先基地局の基地局識別記号とが相違すると判断した場合に、前記ハンドオーバ先基地局にハンドオーバする接続手段（ステップＳ３０４）とを有している。したがって、スレーブ通信装置１０３は、マスタ通信装置とは異なる基地局にハンドオーバすることができるため、高速で高品質なデータ通信を行うことが可能になる。
【００４２】
また、本発明の実施の形態に係る移動体無線通信システムにおいては、特に、無線通信用携帯端末装置１０１は、データの送信処理及び受信処理を行う携帯型コンピュータ１０５と、基地局１０６ａ〜１０６ｎに無線で呼接続して携帯型コンピュータ１０５と基地局１０６ａ〜１０６ｎ間のデータ通信を仲介するマスタ通信装置１０２と、基地局１０６ａ〜１０６ｎに無線で呼接続して携帯型コンピュータ１０５と基地局１０６ａ〜１０６ｎ間のデータ通信を仲介するスレーブ通信装置１０３と、マスタ通信装置１０２及びスレーブ通信装置１０３と携帯型コンピュータ１０５との間に接続され、マスタ通信装置１０２及びスレーブ通信装置を介して携帯型コンピュータ１０５を各基地局１０６ａ〜１０６ｎにマルチリンクするマルチリンク処理装置１０４とを有し、スレーブ通信装置１０３は、ハンドオーバして呼接続しようとするハンドオーバ先基地局の基地局識別記号をマスタ通信装置１０２に通知する識別記号通知手段（ステップＳ５０１）と、マスタ通信装置１０２から接続許可を受けた後、前記ハンドオーバ先基地局にハンドオーバする接続手段（ステップＳ５０３）とを有し、マスタ通信装置１０２は、マスタ通信装置１０２自身が呼接続している基地局の基地局識別記号とスレーブ通信装置１０３から通知を受けた基地局識別記号とが相違しているとき、スレーブ通信装置１０３に対して呼接続許可を行う接続許可手段（ステップＳ４０３、Ｓ４０４）を有している。したがって、スレーブ通信装置１０３は、マスタ通信装置とは異なる基地局にハンドオーバすることができるため、高速で高品質なデータ通信を行うことが可能になる。また、マスタ通信装置１０２側でスレーブ通信装置１０３のハンドオーバを制御することが可能になる。
【００４３】
また、本発明の実施の形態に係る無線通信用携帯端末装置１０１は、基地局との間でデータ通信を行うと共に、移動した際にもデータ通信を可能にするためにハンドオーバ処理を行うようにした無線通信用携帯端末装置において、データの送信処理及び受信処理を行う携帯型コンピュータ１０５と、基地局１０６ａ〜１０６ｎに無線で呼接続して携帯型コンピュータ１０５と該基地局１０６ａ〜１０６ｎ間のデータ通信を仲介するマスタ通信装置１０２と、基地局１０６ａ〜１０６ｎに無線で呼接続して携帯型コンピュータ１０５と該基地局間１０６ａ〜１０６ｎのデータ通信を仲介するスレーブ通信装置１０３と、マスタ通信装置１０２及びスレーブ通信装置１０３と携帯型コンピュータ１０５との間に接続され、マスタ通信装置１０２及びスレーブ通信装置１０３を介して携帯型コンピュータ１０５を各基地局１０６ａ〜１０６ｎにマルチリンクするマルチリンク処理装置とを備え、スレーブ通信装置１０３は、スレーブ通信装置１０３自身がハンドオーバして呼接続しようとするハンドオーバ先基地局の基地局識別記号とマスタ通信装置１０２が呼接続している基地局の基地局識別記号とが異なる場合に、前記ハンドオーバ先基地局にハンドオーバする接続手段（ステップＳ３０４、Ｓ５０３）を備えている。したがって、スレーブ通信装置１０３は、マスタ通信装置とは異なる基地局にハンドオーバすることができるため、高速で高品質なデータ通信を行うことが可能になる。また、マスタ通信装置１０２側でスレーブ通信装置１０３のハンドオーバを制御することが可能になる。
【００４４】
また、本発明の実施の形態に係る無線通信用携帯端末装置１０１は、特に、データの送信処理及び受信処理を行う携帯型コンピュータ１０５と、基地局１０６ａ〜１０６ｎに無線で呼接続して携帯型コンピュータ１０５と該基地局１０６ａ〜１０６ｎ間のデータ通信を仲介するマスタ通信装置１０２と、基地局１０６ａ〜１０６ｎに無線で呼接続して携帯型コンピュータ１０５と該基地局間１０６ａ〜１０６ｎのデータ通信を仲介するスレーブ通信装置１０３と、マスタ通信装置１０２及びスレーブ通信装置１０３と携帯型コンピュータ１０５との間に接続され、マスタ通信装置１０２及びスレーブ通信装置１０３を介して携帯型コンピュータ１０５を各基地局１０６ａ〜１０６ｎにマルチリンクするマルチリンク処理装置とを備え、マスタ通信装置１０２は、自身が呼接続している基地局の基地局識別記号をスレーブ通信装置１０３に通知する識別記号通知手段（ステップＳ２０３）を有し、スレーブ通信装置１０３は、マスタ通信装置１０２から通知を受けた基地局識別記号と、スレーブ通信装置１０３自身がハンドオーバして呼接続しようとするハンドオーバ先基地局の基地局識別記号とが相違するか否かを判断する基地局識別記号判断手段（ステップＳ３０３）と、前記基地局識別記号判断手段によって、マスタ通信装置１０２から通知を受けた基地局識別記号と前記ハンドオーバ先基地局の基地局識別記号とが相違すると判断した場合に、前記ハンドオーバ先基地局にハンドオーバする接続手段（ステップＳ３０４）とを有している。したがって、スレーブ通信装置１０３は、マスタ通信装置とは異なる基地局にハンドオーバすることができるため、高速で高品質なデータ通信を行うことが可能になる。
【００４５】
また、本発明の実施の形態に係る無線通信用携帯端末装置１０１は、特に、データの送信処理及び受信処理を行う携帯型コンピュータ１０５と、基地局１０６ａ〜１０６ｎに無線で呼接続して携帯型コンピュータ１０５と基地局１０６ａ〜１０６ｎ間のデータ通信を仲介するマスタ通信装置１０２と、基地局１０６ａ〜１０６ｎに無線で呼接続して携帯型コンピュータ１０５と基地局１０６ａ〜１０６ｎ間のデータ通信を仲介するスレーブ通信装置１０３と、マスタ通信装置１０２及びスレーブ通信装置１０３と携帯型コンピュータ１０５との間に接続され、マスタ通信装置１０２及びスレーブ通信装置を介して携帯型コンピュータ１０５を各基地局１０６ａ〜１０６ｎにマルチリンクするマルチリンク処理装置１０４とを備え、スレーブ通信装置１０３は、ハンドオーバして呼接続しようとするハンドオーバ先基地局の基地局識別記号をマスタ通信装置１０２に通知する識別記号通知手段（ステップＳ５０１）と、マスタ通信装置１０２から接続許可を受けた後、前記ハンドオーバ先基地局にハンドオーバする接続手段（ステップＳ５０３）とを有し、マスタ通信装置１０２は、マスタ通信装置１０２自身が呼接続している基地局の基地局識別記号とスレーブ通信装置１０３から通知を受けた基地局識別記号とが相違しているとき、スレーブ通信装置１０３に対して呼接続許可を行う接続許可手段（ステップＳ４０３、Ｓ４０４）を有している。したがって、スレーブ通信装置１０３は、マスタ通信装置とは異なる基地局にハンドオーバすることができるため、高速で高品質なデータ通信を行うことが可能になる。また、マスタ通信装置１０２側でスレーブ通信装置１０３のハンドオーバを制御することが可能になる。
【００４６】
尚、前記各実施の形態においては、スレーブ通信装置１０３をハンドオーバさせるようにしたが、マスタ通信装置１０２及びスレーブ通信装置１０３の双方に、図２乃至図５の処理機能を持たせることにより、ハンドオーバしない通信装置をマスタ通信装置として機能させ、ハンドオーバする通信装置をスレーブ通信装置として機能させることが可能である。この場合、ハンドオーバしない通信装置が第１の通信手段として機能し、ハンドオーバする側の通信装置が第２の通信手段として機能することになる。
【００４７】
また、マスタ通信装置１０２及びスレーブ通信装置１０３は有線でマルチリンク処理装置１０４に接続したが、これらの全てを無線接続（例えば、小電力Ｂｌｕｅｔｏｏｔｈによる接続、赤外線による接続）してもよく、あるいは、これらの一方を無線接続するようにしてもよい。
【００４８】
また、ＰＨＳ内蔵カードのように、マスタ通信装置１０２とマルチリンク処理装置１０４を一体に構成してもよい。
【００４９】
【発明の効果】
本発明によれば、第２の通信手段は、第１の通信手段とは異なる基地局にハンドオーバすることができるため、高速で高品質なデータ通信を行うことが可能になる。また、第１の通信手段側で第２の通信手段のハンドオーバを制御することが可能になる。
【図面の簡単な説明】
【図１】本発明の実施の形態に使用するＰＨＳのシステム構成図である。
【図２】本発明の第１の実施の形態に使用するマスタ通信装置の処理を示すフローチャートである。
【図３】本発明の第１の実施の形態に使用するスレーブ通信装置の処理を示すフローチャートである。
【図４】本発明の第２の実施の形態に使用するマスタ通信装置の処理を示すフローチャートである。
【図５】本発明の第２の実施の形態に使用するスレーブ通信装置の処理を示すフローチャートである。
【符号の説明】
１０１・・・無線通信用携帯端末装置
１０２・・・第１の通信手段としてのマスタ通信装置
１０３・・・第２の通信手段としてのスレーブ通信装置
１０４・・・制御手段としてのマルチリンク処理装置
１０５・・・データ処理手段としての携帯型コンピュータ
１０６ａ〜１０６ｎ・・・基地局
１０７・・・ＰＨＳ制御装置
１０８・・・通信網
【図１】
0003748373.tif 000002
【図２】
0003748373.tif 000003
【図３】
0003748373.tif 000004
【図４】
0003748373.tif 000005
【図５】
0003748373.tif 000006